Podtech/llm-jp-corpus-v4-ja_patent huggingface dataset:
(57)【要約】      （修正有）【課題】コンパクト容器や化粧ポーチから化粧用パフと化粧用ブラシを別々に取り出すことなく、一つの化粧具として手軽に化粧を行えるようにしたブラシ付き化粧用パフを提供する。【解決手段】ブラシ部２とスポンジ製のパフ部３とを持ち手部１を挟んで一体化することにより、携帯に便利で、使用に際して、持ち手部１を持ってブラシ部２とスポンジ製のパフ部３とを使い分けることにより、化粧用パフと化粧用ブラシを持ち替えることなく、一つの化粧具により化粧の仕上げやメイク直しを思いのまま行えるようにした。【選択図】図１
0003190689.tif 000002
【実用新案登録請求の範囲】
【請求項１】
持ち手部を挟んで一方にブラシ部、他方にスポンジ製のパフ部を一体に設けたことを特徴とするブラシ付き化粧用パフ。
【請求項２】
前記スポンジ製のパフ部の内部に、樹脂製の補強芯が挿入されている請求項1記載のブラシ付き化粧用パフ。
【考案の詳細な説明】
【技術分野】
【０００１】
この考案は、化粧用パフと化粧用ブラシとが一体になったブラシ付き化粧用パフに関するものである。
【背景技術】
【０００２】
化粧用パフは、スポンジ素材又はベルベット等の生地素材からなり、ファンデーション等の化粧品を皮膚に塗布する際に使用される。
【０００３】
また、化粧用ブラシは、付け過ぎたファンデーションをぼかしたり、ファンデーションをふんわりナチュラルに仕上げたりする際に使用される。
【０００４】
したがって、化粧を行う際には、化粧用パフと化粧用ブラシを両方使用する人が多い。
【０００５】
このため、従来、化粧用のコンパクト容器や化粧ポーチには、化粧用パフと化粧用ブラシを別々に収容しており、コンパクト容器や化粧ポーチから化粧用パフと化粧用ブラシを取り出し、仕上げや化粧部位に応じて、化粧用パフと化粧用ブラシを持ち替えて化粧を行っている（特許文献１）。
【先行技術文献】
【特許文献】
【０００６】
【特許文献１】特開平１０−５０３６号公報
【考案の概要】
【考案が解決しようとする課題】
【０００７】
ところが、仕上げや化粧部位に応じて、化粧用パフと化粧用ブラシをいちいちコンパクト容器から取り出して化粧を行うことは面倒なことも多い。
【０００８】
そこで、この考案は、コンパクト容器や化粧ポーチから化粧用パフと化粧用ブラシを別々に取り出すことなく、一つの化粧具を持って手軽に化粧を行えるようにすることを課題とするものである。
【課題を解決するための手段】
【０００９】
この考案のブラシ付き化粧用パフは、上記の課題を解決するために、持ち手部を挟んで一方にブラシ部、他方にスポンジ製のパフ部を一体に設けたものである。
【考案の効果】
【００１０】
この考案に係るブラシ付き化粧用パフは、ブラシ部とスポンジ製のパフ部とが、持ち手部を挟んで一体化されているので、携帯に便利であり、使用に際しては、持ち手部を持ってブラシ部とスポンジ製のパフ部とを使い分けることができるので、化粧の仕上げやメイク直しを思いのまま行うことができる。
【図面の簡単な説明】
【００１１】
【図１】この考案に係るブラシ付き化粧用パフを示す斜視図である。
【図２】この考案に係るブラシ付き化粧用パフの縦断側面図である。
【考案を実施するための形態】
【００１２】
この考案の実施形態を、図面に基づいて具体的に説明する。
【００１３】
図１及び図２に示す実施形態のブラシ付き化粧用パフは、扁平な環状のアルミニウム等の金属製の持ち手部１の一方に、扁平なブラシ部２の基部を挿入し、他方に扁平なスポンジ製のパフ部３の基部を挿入したものである。持ち手部１は、樹脂によって形成してもよい。
【００１４】
口金１と、ブラシ部２の基部、パフ部３の基部とは、接着剤により接着されている。
【００１５】
扁平なパフ部３の内部には、パフ部３の扁平な樹脂製の補強芯４が挿入されている。
【００１６】
補強芯４の口金１に挿入される端部には、持ち手部１の内面に接着される厚肉部５が形成されている。
【００１７】
例えば、ポリウレタンスポンジによって形成することができる。
ブラシ部２の毛素材は、人造毛でも、天然毛のいずれでもよい。
【符号の説明】
【００１８】
１    持ち手部
２    ブラシ部
３    パフ部
４    補強芯
５    厚肉部
【図１】
0003190689.tif 000003
【図２】
0003190689.tif 000004
(57)【要約】      （修正有）【課題】単独の製造が可能で、擬似餌の腹部に使用でき、移動又は沈下過程で、水流の作用により震え、魚が餌の位置を容易に感知して、見つけることができる粘着体を含む擬似エビ脚を提供する。【解決手段】粘着体は、粘着体前段２、粘着体連結部４と粘着体後段６から構成されており、粘着体前段は粘着体連結部を通じて粘着体後段と一体に連結する。粘着体前段の下面には前脚１が設けられ、粘着体後段の下方には後脚５が設けられており、粘着体前段上には空き溝３が設けられる。粘着体の長さは２０ｍｍ〜１５０ｍｍで、空き溝は粘着体前段を上下に貫通する。【選択図】図１
0003190686.tif 000002
【実用新案登録請求の範囲】
【請求項１】
粘着体を含む擬似エビ脚において、
前記粘着体は粘着体前段、粘着体連結部、粘着体後段から構成されており、
前記粘着体前段は粘着体連結部を通じて粘着体後段と一体に連結されており、
前記粘着体前段の下面には前脚が設けられ、粘着体後段の下方には後脚が設けられており、
前記粘着体前段上には空き溝が設けられており、
前記粘着体の長さが20mm〜150mmで、
前記空き溝は粘着体前段を上下に貫通することを特徴とする擬似エビ脚。
【考案の詳細な説明】
【技術分野】
【０００１】
本考案はエビ脚に関し、特にイカ状擬似餌又は擬似餌の腹部に粘着される擬似エビ脚に関する。
【背景技術】
【０００２】
現在、既存のイカ状擬似餌（木製擬エビ）と硬質擬似餌は硬質プラスチックから製造されている。硬質プラスチックから製造されたイカ状擬似餌又は硬質擬似餌は餌本体が硬質プラスチックであるため、腹部でエビ脚構造を作るのが難しい。そのため、これらの餌は使用過程でエビ脚のような震え動作が欠陥し、餌による釣り効果が悪い。これに応じて単独の製造が可能で、擬似餌の腹部に使用されることができ、かつ震える効果を有する擬似エビ脚の製造が需要になっている。このようなエビ脚は餌の移動又は沈下過程で、水流の作用により震えることができ、エビ脚の震えによって水流が変化し、水流の変化により魚が餌の位置を更に容易に感知して、容易に餌を見つかることができる。
【考案の概要】
【考案が解決しようとする課題】
【０００３】
本考案は、前記技術の欠陥を解決するため、擬似エビ脚を提供する。
【課題を解決するための手段】
【０００４】
上述の技術問題を解決するため、本考案の擬似エビ脚は、粘着体を含み、粘着体は粘着体前段、粘着体連結部と粘着体後段からなり、粘着体前段は粘着体連結部を通じて粘着体後段と一体に連結しており、粘着体前段の下面には前脚が設けられ、粘着体後段の下方には後脚が設けられており、粘着体前段上には空き溝が設けられ、前記粘着体の長さが20mm〜150mmで、空き溝は上下に粘着体前段を貫通する。
【０００５】
本考案は設計が更に科学的かつ合理的で、単独の製造が可能で、擬似餌の腹部に粘着して使用することができ、適用範囲が広く、使用効果がもっと良い。
【図面の簡単な説明】
【０００６】
【図１】図1は、本考案の擬似エビ脚の正面図である。
【図２】図2は、本考案の擬似エビ脚の背面図である。
【図３】図3は、本考案の擬似エビ脚の立体図である。
【考案を実施するための形態】
【０００７】
次は図面を用いて本考案の実施形態を更に詳細に説明する。
図1から図3に示されたように、本考案は、前脚1、空き溝3、後脚5、及び粘着体を含む。粘着体は、粘着体前段2、粘着体連結部4、粘着体後段6から構成されている。粘着体前段2は粘着体連結部4を通じて粘着体後段6と一体に連結されており、粘着体前段2の下面には前脚1が設けられ、粘着体後段6の下方には後脚5が設けられている。粘着体前段2には空き溝3が設けられている。粘着体の長さは20mm〜150mmで、空き溝3は粘着体前段2を上下に貫通する。
【０００８】
本考案の粘着体は擬似餌の大きさに基づいて20mm〜150mmの異なる長さに製造されて、いろんな擬似餌に適用される。空き溝3は擬似餌腹部の突出部の収容に用いられ、擬似餌の腹部に粘着して使用することができる。本考案は単独の製造が可能で、使用する材質がTPE材料で、使用する時の震え効果と擬似効果が更に優れており、強度と使用効果が更に良い。
【０００９】
上述の実施方式は本考案に対して制限するものではなく、本考案も上述の実施例に制限されない。同業者が本考案の技術手段の範囲内で行う変化、改善、増設又は引替は、本考案の保護範囲内に属する。
【符号の説明】
【００１０】
1    前脚
2    粘着体前段
3    空き溝
4    粘着体連結部
5    後脚
6    粘着体後段
【図１】
0003190686.tif 000003
【図２】
0003190686.tif 000004
【図３】
0003190686.tif 000005
(57)【要約】      （修正有）【課題】夏季では、進出水口を介して蓄水モジュールに冷水を注入することにより防暑や温度下げの目的を実現し、冬季では、進出水口を介して蓄水モジュールに熱水を注入することにより加熱／保温の目的を実現するウォータースーツを提供する。【解決手段】本体は複数の多辺形の蓄水モジュール１から組み合わせてなり、それぞれの蓄水モジュールは液体を格納でき、隣り合う２つの蓄水モジュールは互いに連通しており、本体上には水が進出するための進出水口が設けられているウォータースーツを提供する。電線を通して外部電源に接続することで充電と加熱を実現する加熱装置が、さらに前記ウォータースーツの本体上の一か所に搭載されている。ウォータースーツの本体上の一か所に加熱装置が搭載されていることにより、保温効果がさらに向上する。【選択図】図１
0003190606.tif 000002
【実用新案登録請求の範囲】
【請求項１】
本体は複数の多辺形の蓄水モジュール（１）から組み合わせてなり、それぞれの蓄水モジュール（１）内は液体を格納でき、隣り合う２つの蓄水モジュール（１）は互いに連通しており、水が進出するための進出水口（２）が本体上に設けられていることを特徴とするウォータースーツ。
【請求項２】
電線を通して外部電源に接続することで充電と加熱を実現する加熱装置（３）が、さらに前記ウォータースーツの本体上の一か所に搭載されていることを特徴とする請求項１に記載のウォータースーツ。
【考案の詳細な説明】
【技術分野】
【０００１】
本考案は、防暑／温度下げ、および加熱／保温の機能を有するウォータースーツに関する。具体的には、服装技術分野に属す。
【背景技術】
【０００２】
服装は、人々の生活の中の必需品である。しかし、一般に市販される各種の服装の多くは、装飾機能を有するが、温度下げや加熱／保温を顕著に、且つ快速に行う機能を備えていない。
【考案の概要】
【考案が解決しようとする課題】
【０００３】
本考案の目的は、快速な防暑／温度下げ、および加熱／保温の機能を備えたウォータースーツを提供することにある。
【課題を解決するための手段】
【０００４】
本考案の一実施形態は、本体は複数の多辺形の蓄水モジュールから組み合わせてなり、それぞれの蓄水モジュール内は液体を格納でき、隣り合う２つの蓄水モジュールは互いに連通しており、水が進出するための進出水口が本体上に設けられているウォータースーツである。
【０００５】
電線を通して外部電源に接続することで充電と加熱を実現する加熱装置が、さらに前記ウォータースーツの本体上の一か所に搭載されている。
【考案の効果】
【０００６】
本考案は、注水型温度下げ／保温ウォータースーツであるスタイル１と、電熱型冬季防寒服であるスタイル２との２スタイルに分けることが可能である、という有益な効果を奏する。
【０００７】
また、本考案は注水型温度下げ／保温ウォータースーツである場合は、夏季では進出水口を介してウォータースーツ本体の蓄水モジュールに冷水を注入することにより、防暑や温度下げの目的を実現できるため、高温環境下に作業する人、例えば鋼鉄冶金業において高炉の前で操業する作業員に特に適している。冬季では、進出水口を介してウォータースーツ本体の蓄水モジュールに熱水を直接注入することにより、加熱／保温の目的を実現できる。蓄水モジュールに熱水を直接注入することにより、保温／防寒の効果を奏するため、南部地方の冬季の高湿度寒冷環境に適している。この方法では、停電時に充電／電気加熱ができないとき、ガスを利用して水を加熱すれば、上記目的を実現できる。なお、温度下げや保温を必要としないときは、蓄水モジュール内の水を排出すれば、一般の服としても使用できる。また、外出／旅行や野外サバイバル（或いは部隊の行軍や作戦）の際は、本考案を携行することにより緊急飲用水源として使える。
【０００８】
また、本考案は電熱型冬季防寒服である場合は、ウォータースーツ本体上の一か所に加熱装置が搭載されているため、保温効果がさらに向上する。
【図面の簡単な説明】
【０００９】
【図１】本考案の実施例１の構成の模式図である。
【図２】本考案の実施例２の構成の模式図である。
【考案を実施するための形態】
【００１０】
（実施例１）
図１に示すように、ウォータースーツは、その本体は複数の多辺形の蓄水モジュール１から組み合わせてなり、それぞれの蓄水モジュール１内は水を格納でき、隣り合う２つの蓄水モジュール１は互いに連通しており、水が進出するための進出水口２がウォータースーツの本体上に設けられている。
【００１１】
（実施例２）
図２に示すように、ウォータースーツは、その本体は複数の多辺形の蓄水モジュール１から組み合わせてなり、それぞれの蓄水モジュール１内は水および電解質を格納でき、隣り合う２つの蓄水モジュール１は互いに連通しており、水が進出するための進出水口２がウォータースーツの本体上に設けられている。
【００１２】
さらに、前記ウォータースーツの本体上の一か所に加熱装置３が搭載されている。加熱装置３は、電線を通して外部電源に接続することで充電と加熱を実現する。
【００１３】
本考案は上述した各実施例に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【産業上の利用可能性】
【００１４】
本考案は、防暑／温度下げ、および加熱／保温の機能を有するウォータースーツとして利用することができる。
【符号の説明】
【００１５】
１  蓄水モジュール
２  進出水口
３  加熱装置
【図１】
0003190606.tif 000003
【図２】
0003190606.tif 000004
(57)【要約】      （修正有）【課題】本棚で本やＣＤ等を整理する時に、本やＣＤ等が斜めになる事や、倒れる事を防ぐ本立てを提供する。【解決手段】棒状１をクロスに交差させ、クロスの中心を芯とし回転により自由に角度が変えられるようにして、棒状の先端部分に、本やＣＤ等が支えられる長さの棒３を、直角に取り付ける。クロスの中心である芯をネジ５で締め固定する事により、棚の本やＣＤ等が倒れるのを防ぐ。【選択図】図１
0003190651.tif 000002
【実用新案登録請求の範囲】
【請求項１】
棒状をクロスに交差させ、クロスの中心を芯とし自由に角度が変えられるようにして、棒状の先端部分に、本やＣＤ等が支えられる幅の棒を、直角に取り付ける、又、クロスの中心である、芯をネジで締め固定する事により、棚の本やＣＤ等が倒れるのを防ぐ事を特徴とする本立て。
【考案の詳細な説明】
【技術分野】
【０００１】  本考案は、本棚の本やＣＤケース等を整理出来る事に関係するものである。
【背景技術】
【０００２】  一般に本棚で本やＣＤ等を整理する時に、ブックエンドで両方に立てて、本やＣＤ等を真っ直ぐに立てる事になるが、隙間の所はどうしても本やＣＤ等が斜めになる事や、倒れる事があり見た目が悪い。
【考案の開示】
【考案が解決しようとする課題】
【０００３】  本棚の本やＣＤ等の隙間の所はどうしても、本やＣＤ等が斜めになる事や、倒れる事があり、見た目が悪いので、本考案により、簡易な構造で綺麗に本と本等の隙間を埋めて整理出来る事を課題とする。
【課題を解決するための手段】
【０００４】  以上の課題を解決するために、棒状をクロスに交差させ、クロスの中心を芯とし自由に角度が変えられるようにして、棒状の先端部分に、本やＣＤ等が支えられる幅の棒を、直角に取り付ける、又、クロスの中心である、芯をネジで締め固定する事により、棚の本やＣＤ等が倒れるのを防ぐ事を特徴とする本立て。
【考案の効果】
【０００５】  本考案の本立ては、本やＣＤ等が斜めになる事や倒れる事があるが、本考案により、簡易な構造で整理出来る事を課題とする。
【考案を実施するための最良の形態】
【０００６】この考案を図によって説明すると、棒状（１）をクロスに交差させ、クロスの中心を芯とし自由に角度が変えられるようにして、棒状（１）の先端部分（２）に、本やＣＤ等が支えられる幅の棒（３）を、直角に取り付ける、又、クロスの中心である、芯（４）をネジ（５）で締め固定する事により、棚の本やＣＤ（６）等が倒れるのを防ぐ事を特徴とする本立て。
【図面の簡単な説明】
【０００７】
【図１】全体斜視図
【図２】角度を変えられる状態の正面図
【図３】側面図
【図４】使用図
【符号の説明】
【０００８】１  棒状
２  先端部分
３  棒
４  芯
５  ネジ
６  本やＣＤ等
【図１】
0003190651.tif 000003
【図２】
0003190651.tif 000004
【図３】
0003190651.tif 000005
【図４】
0003190651.tif 000006
(57)【要約】      （修正有）【課題】ケースに収納しても携帯端末の着信音が聞こえやすい携帯端末ケースを提供する。【解決手段】携帯端末ケース１の表側２又は裏側に、携帯端末の着信音飛散穴４が複数個設けられている。このため、携帯端末を完全に収納し、留め具ベルト等で塞いで留めた状態であっても、着信音が鳴れば、表側２や裏側に貫通して設けられた複数個の着信音飛散穴４を通じて携帯端末ケース１外部に着信音が確実に出音して使用者や周りの人達に聞こえる事が出来る。【選択図】図１
0003190652.tif 000002
【実用新案登録請求の範囲】
【請求項１】
携帯端末ケース（１）の表側（２）又は裏側（３）に、携帯端末（８）の着信音飛散穴（４）が複数個設けられていることを特徴とする携帯端末ケース（１）。
【請求項２】
携帯端末ケース（１）の表側（２）及び裏側（３）の両側共に、携帯端末（８）の着信音飛散穴（４）が複数個設けられていることを特徴とする携帯端末ケース（１）。
【考案の詳細な説明】
【技術分野】
【０００１】  本考案は、携帯端末ケースに関し、ケースに収納しても携帯端末の着信音が聞こえやすい携帯端末ケースに関する。
【背景技術】
【０００２】  従来、携帯電話やスマートフォン等に使用する携帯端末ケースは、袋状となって、上部に出し入れのための開口部を有し、携帯端末を収納後、脱落しないように留め具ベルト等で留めて形成されている。
【考案の概要】
【考案が解決しようとする課題】
【０００３】  しかしながら上記の携帯端末ケースは、袋状となっており、携帯端末を開口部から押し込んでケース内側面に密着して収納するため、一度ケース内に収納すると着信音が大音量設定していない限りほとんど聞き取れないと云う欠点が有った。【０００４】  特に携帯端末ケースの内側は脱着の際に携帯端末を傷つけないように、フェルトやメガネ拭きのような生地が縫製されている場合が多く、そのため着信音を吸収してしまう欠点が有った。
【課題を解決するための手段】
【０００５】  上記課題を解決するために本考案は、携帯端末ケース（１）の表側（２）又は裏側（３）に、携帯端末（８）の着信音飛散穴（４）が複数個設けられている。【０００６】  更に携帯端末ケース（１）の表側（２）及び裏側（３）の両側共に、携帯端末（８）の着信音飛散穴（４）が複数個設けられている。【０００７】  なお、本考案で云う着信音飛散穴は、携帯端末ケースの表側又は裏側もしくは両側において完全に貫通している穴の事を言う。
【考案の効果】
【０００８】  本考案の携帯端末ケースは以上のような構成であるため、例えば携帯端末を収納した状態であっても、着信音が鳴れば、表側や裏側に貫通して設けられた着信音飛散穴を通じて携帯端末ケース外部に着信音が確実に出音して使用者や周囲の人達に聞こえる事の出来る優れたものになる。【０００９】  もちろん着信音飛散穴は小穴として複数個形成したものであるため、ホコリ等も入りにくく携帯端末を傷つけることのない優れたものである。
【図面の簡単な説明】
【００１０】
【図１】本考案の一実施例を示す表側からの斜視図である。
【図２】本考案の一実施例を示す裏側からの斜視図である。
【図３】本考案の使用時の一実施例において着信音飛散穴から着信音が出音している様子を示す断面図である。
【考案を実施するための形態】
【００１１】  本考案における携帯端末ケースの大きさ、形状、デザイン、材質、製造方法等は特に限定されないが、材質としては本皮、合皮等が用いられる。
【００１２】  大きさも使用する携帯端末の種類、例えばスマートフォンの大きさ、厚み等によって自由に決める事が出来るが、袋状で上部に出し入れのための開口部が有るものが好ましい。
【００１３】  着信音飛散穴の大きさや形、設ける数、位置等についても特に限定される事はないが、携帯端末ケースのデザインを損なわれないように小穴の丸穴が規則的に配列したり、携帯端末自体のスピーカー位置近くに設ける事が好ましい。
【００１４】  なお、本考案の携帯端末ケースの内側にフェルトやメガネの汚れ拭き用生地を内張りとして設けておけば、着信音飛散穴が該生地で塞がれるため、着信音を外部には出音するが、ホコリ等が携帯端末ケースに一切入らないものとする事が出来る。
以下、実施例と図に基づき説明する。
【実施例】
【００１５】  以下、本考案の一実施例を図１、図２及び図３で説明するがこれによって本考案は何ら限定されるものではない。【００１６】  図１は、本考案の携帯端末ケース（１）を表側（２）から見た一例の斜視図である。表側（２）に着信音飛散穴（４）が複数個設けられており、上部に携帯端末（８）を出し入れする開口部（５）が設けられ、更に開口部（５）が設けられ、更に開口部（５）を留めるための留め具ベルト（７）が設けられている。【００１７】  図２は、本考案の携帯端末ケース（１）を裏側（３）から見た一例の斜視図である。こちらも図１の表側（２）と同様に裏側（３）に着信音飛散穴（４）が複数個設けられており、上部に携帯端末（８）を出し入れする開口部（５）が設けられ、その際に開口部（５）を塞いで留めるための留め具ベルト（７）が縫製（６）の手段で設けられている。【００１８】  図３は、本考案の携帯端末ケース（１）に携帯端末（８）を収納した状態を示し、着信音（９）が複数個の着信音飛散穴（４）から出音している様子を示す断面図である。
【産業上の利用の可能性】
【００１９】  本考案の携帯端末ケースは、携帯端末を完全にケースに収納し、留め具ベルトで塞いで留めた状態であっても、着信音が鳴れば、表側や裏側に貫通して設けられた複数個の着信音飛散穴を通じて携帯端末ケース外部に着信音が確実に出音して使用者や周りの人達に聞こえる事の出来る優れた携帯端末ケースとなる。
【符号の説明】
【００２０】１  携帯端末ケース
２  表側
３  裏側
４  着信音飛散穴
５  開口部
６  縫製
７  留め具ベルト
８  携帯端末
９  着信音
【図１】
0003190652.tif 000003
【図２】
0003190652.tif 000004
【図３】
0003190652.tif 000005
(57)【要約】      （修正有）【課題】小容量で使用時や使用しない時および輸送時の小スペースを可能にしたタイヤラックを提供する。【解決手段】左右のフレームおよび上下４本のタイヤ受けパイプを２分割し、左右の上部フレーム１，３と左右の下部フレーム２，４および左パイプ５（４本）と右パイプ６（４本）とする。接続部はボルト止め構造とし、左パイプ４本と左右の上下フレームを接続することにより小容量収納が可能となる。また使用しない時や輸送時には左右の上下フレームおよび左右のパイプ８本を重ねることにより小スペースが可能となる。【選択図】図１
0003190634.tif 000002
【実用新案登録請求の範囲】
【請求項１】
左右の上部フレームと左右の下部フレームおよび左パイプ４本と右パイプ４本で構成され前記左パイプと右パイプを接続してタイヤ受けパイプ4本とし前記左右の上部フレームと下部フレームを接続した左フレームと右フレームに前記タイヤ受けパイプ4本を接続し大容量用タイヤラックとし、前記左フレームと前記右フレームに前記左パイプ4本を接続し小容量タイヤラックになる、また使用しない時や輸送時には前記左右の上部フレームと前記左右の下部フレームと前記左パイプ4本および前記右パイプ4本を重ねることにより小スペースになる。
【考案の詳細な説明】
【技術分野】
【０００１】
本考案は収納の分野でガレージ等で自動車用タイヤ等を整理収納するためのタイヤラックに関するものである。
【背景技術】
【０００２】
従来からガレージ等でタイヤ等を整理収納するタイヤラックはあった。
【考案の概要】
【考案が解決しようとする課題】
【０００３】
従来の物は左右のフレームおよびタイヤ等収納用のパイプの長さが固定のため大容量を収納するときも小容量を収納するときも同じ大スペースが必要である、また使用しない時や輸送時も大スペースが必要である。
【課題を解決するための手段】
【０００４】
従来の物は大容量のタイヤ等を収納するときも小容量を収納するときも同じ大スペースが必要である、また使用しない時や輸送時も大スペースが必要である。
本考案は従来の物の左右のフレームおよび上下各４本のパイプを中央部で分割し前記左右のフレームは左右の上部フレームおよび左右の下部フレームとし、前記上下４本のパイプは上下部右パイプ４本および上下部左パイプ４本とし、大容量収納時は分割された前記左右の上部フレームおよび前記左右の下部フレームと上下左右８本のパイプを接続して使用し、小容量収納時は前記左右の上下フレームと上下部左パイプ４本使用で小スペースになる、また使用しない時や輸送時には前記左右の上部フレーム２個、左右の下部フレーム２個および前記上下左右のパイプ８本を積み重ね梱包し小スペースとなる。
本考案はこれらの問題点を解決するために考案されたものである。
【考案の効果】
【０００５】
従来の物は大容量のタイヤ等を収納するときも小容量を収納するときも同じ大スペースが必要であったが、従来の物の左右のフレームおよび上下4本のパイプを2分割し接続部はボルト止め構造とすることにより、小容量で使用時や使用しない時および輸送時の小スペースを可能にした。
【図面の簡単な説明】
【０００６】
【図１】正面図
【図２】左側面図
【図３】右側面図
【図４】部品図
【図５】説明図
【図６】説明図
【図７】従来の物の図および本考案の図
【考案を実施するための形態】
【０００７】
（図１）正面図
（図２）左側面図
（図３）右側面図
（図４）部品図
（図５）説明図
（図６）説明図
（図７）従来の物の図および本考案の図
（図１〜図４）の符号
１左上部フレーム
２左下部フレーム
３右上部フレーム
４右下部フレーム
５左パイプ
６右パイプ
７キャスター
【符号の説明】
【０００８】
１左上部フレーム
２左下部フレーム
３右上部フレーム
４右下部フレーム
５左パイプ
６右パイプ
７キャスター
【図１】
0003190634.tif 000003
【図２】
0003190634.tif 000004
【図３】
0003190634.tif 000005
【図４】
0003190634.tif 000006
【図５】
0003190634.tif 000007
【図６】
0003190634.tif 000008
【図７】
0003190634.tif 000009
【手続補正書】
【提出日】平成26年3月6日(2014.3.6)
【手続補正１】
【補正対象書類名】実用新案登録請求の範囲
【補正対象項目名】全文
【補正方法】変更
【補正の内容】
【実用新案登録請求の範囲】
【請求項１】
左右の上部フレームと左右の下部フレームおよび左パイプ４本と右パイプ４本で構成され前記左パイプと右パイプを接続してタイヤ受けパイプ4本とし前記左右の上部フレームと下部フレームを接続した左フレームと右フレームに前記タイヤ受けパイプ4本を接続し大容量用タイヤラックとし、前記左フレームと前記右フレームに前記左パイプ4本を接続し小容量タイヤラックになる、また使用しない時や輸送時には前記左右の上部フレームと前記左右の下部フレームと前記左パイプ4本および前記右パイプ4本を重ねることにより小スペースになるタイヤラック。
(57)【要約】      （修正有）【課題】遊戯台（パチンコ台、パチスロ台）での椅子が固定されているうえ、分煙、禁煙がなされていない場所に於いて、隣席の喫煙による不快感や、受動喫煙してしまうことを抑える遊戯台を提供する。【解決手段】遊戯場における遊戯台７において、遊戯台７と遊戯台７との間に気流の幕（エアカーテン）２を作り出すように、左右両端に気流の吹き出し口を設ける。遊戯台７の左右両端下部分に気流の吹き出し口を設け、遊戯者３，４頭部方向へと扇状に気流の幕を作る。使用の有無、風力の強弱調整、吹き出し口の調整を状況に応じて遊戯者が任意に選択できる装置を備える。漂うタバコの煙を上部へ流し、嫌煙者を不快感や受動喫煙からまもる。また喫煙者自ら使用することで喫煙マナー向上にも役立てる。設計段階から装置を組み込むことで遊技台の機能やデザインを損なうことがない。【選択図】図１
0003190633.tif 000002
【実用新案登録請求の範囲】
【請求項１】
遊戯場（パチンコ店、パチスロ店）に於いて、遊戯台と遊戯台との間に気流の幕（エアカーテン）を作りだすことを特徴とする装置。
【請求項２】
遊戯台（パチンコ台、パチスロ台）の両端下部分に設置し、遊戯台下方向から遊戯者頭部方向へと扇状に気流の幕（エアカーテン）を作ることで分煙を図る、請求項１に記載の装置。
【請求項３】
使用の有無、風力の強弱調整、吹き出し口の調整など状況に応じて遊戯者が任意に選択できる、請求項１に記載の装置。
【考案の詳細な説明】
【技術分野】
【０００１】
本考案は、遊戯台（パチンコ台、パチスロ台）に於いて、隣席との間に遊戯台の下部分から遊戯者頭部方向へと扇状に気流の幕（エアカーテン）を作ることで、隣席遊戯者の喫煙によるタバコの煙の流れを変え、嫌煙者が不快感や受動喫煙することを抑制する装置に関するものである。
【背景技術】
【０００２】
遊戯場（パチンコ店、パチスロ店）では分煙や禁煙を実施している店舗はほとんどなく、店舗全体での空調や換気はできていても、隣席から漂ってくるタバコの煙を抑えることはできない。
【０００３】
遊戯場では椅子が等間隔に固定されているため、遊戯中に隣席からのタバコの煙を避けることができない。嫌煙者はマスクをしたり、団扇で払ったりして防御しても限界があり、衣類への臭いの染みつきや、不快な思い、意図せずに受動喫煙してしまう。
【０００４】
近年では都市部や繁華街など禁煙地区が多くなったことや、喫煙所も限られることもあって、喫煙率が低下している昨今であっても都市部遊戯場店内は喫煙率の高い場所となっている。
【考案の概要】
【考案が解決しようとする課題】
【０００５】
分煙、禁煙対策が進まない、遊戯場（パチンコ店、パチスロ店）に於いて、嫌煙者が不快感や受動喫煙することなく、喫煙者にも周囲に不快感を与えずに喫煙できる遊戯場環境に近づける。
【課題を解決するための手段】
【０００６】
本考案は、遊戯台（パチンコ台、パチスロ台）の各台の個々に設置することで遊戯台と遊戯台の間に気流の幕（エアカーテン）を作り、タバコの煙の流れを変え不快感や受動喫煙することを抑える。個別にすることで嫌煙者、喫煙者問わず遊戯者が任意に使用をできることを最も主要な特徴とする。
【考案の効果】
【０００７】
遊戯台（パチンコ台、パチスロ台）の左右両端の下部分に設置し、遊戯台下方向から遊戯者頭部方向へと扇状に気流の幕（エアカーテン）を作ることで、漂うタバコの煙の流れを上部の天井方向へと流す。天井方向へと流されたタバコの煙は店舗設置のエアコンで空調換気される。並んだ２名が装置を使用した場合、遊戯台と遊戯台の間に二重の気流の幕（エアカーテン）ができるため、さらに効果を高めることができる。新機種が毎年数百万台発売されるパチンコ台、パチスロ台に、設計段階から装置を組み込むことで遊戯台の機能やデザインを損なうことなく、数年間で大半が設置された機種に入れ替えることができる。
【図面の簡単な説明】
【０００８】
【図１】図１は遊戯台（パチンコ台の例）後方から見たイメージ図である。
【図２】図２は遊戯台（パチンコ台の例）側面から見たイメージ図である。
【考案を実施するための形態】
【０００９】
以下本考案の形態を示す図面に基づき説明する。
【００１０】
図１（パチンコ台の例）は、遊戯台（パチンコ台、パチスロ台）は固定椅子のため遊戯者は一列に並び、手持ちタバコや銜えタバコ喫煙による煙は喫煙者の顔の高さで漂い流れていく。遊戯台の各台それぞれの両端下部分に設置した遊戯台個別受動喫煙抑制装置が隣席者との間に気流の幕（エアカーテン）を作ることで、漂うタバコの煙の流れを上部天井方向へと流す。遊戯台は右手操作のため、左側に灰皿が設置される、このため左側装置の設置は右側装置より高めに設置することで置きタバコの煙が後方遊戯者に影響を与えないようにする。
【００１１】
図２（パチンコ台の例）は、遊戯台（パチンコ台、パチスロ台）の下部分に設置した遊戯台個別受動喫煙抑制装置から扇状に気流の幕（エアカーテン）を作ることで、嫌煙者をタバコの煙からの不快感や受動喫煙からまもる。
【００１２】
図３  個別受動喫煙抑制装置の吹き出し口は、遊戯者頭部方向部分（ａ〜ｂ）の風量を多く、遊戯者後方に向く部分（ｂ〜ｃ）は風量を抑え、背中合わせ後方遊技者に配慮する。
【符号の説明】
【００１３】
１  遊戯台個別受動喫煙抑制装置
２  遊戯台個別受動喫煙抑制装置からの気流の幕（エアカーテン）イメージ
３  嫌煙遊戯者
４  喫煙遊戯者
５  タバコとタバコの煙イメージ
６  設置灰皿
７  遊戯台（パチンコ台例）
ａ  遊戯台個別受動喫煙抑制装置吹き出し口最上部分
ｂ  遊戯台個別受動喫煙抑制装置吹き出し口中間部分
ｃ  遊戯台個別受動喫煙抑制装置吹き出し口最下部分
【図１】
0003190633.tif 000003
【図２】
0003190633.tif 000004
【図３】
0003190633.tif 000005
【手続補正書】
【提出日】平成26年3月6日(2014.3.6)
【手続補正１】
【補正対象書類名】実用新案登録請求の範囲
【補正対象項目名】全文
【補正方法】変更
【補正の内容】
【実用新案登録請求の範囲】
【請求項１】
遊戯場における遊戯台において、遊戯台と遊戯台との間に気流の幕を作り出すように、左右両端に気流の吹き出し口を設けた遊戯台。
【請求項２】
遊戯台の左右両端下部分に気流の吹き出し口を設け、遊戯者頭部方向へと扇状に気流の幕を作る請求項１に記載の遊戯台。
【請求項３】
使用の有無、風力の強弱調整、吹き出し口の調整を状況に応じて遊戯者が任意に選択できる装置を備えた、請求項１に記載の遊戯台。
【手続補正３】
【補正対象書類名】明細書
【補正対象項目名】０００８
【補正方法】変更
【補正の内容】
【０００８】
【図１】図１は遊戯台（パチンコ台の例）後方から見たイメージ図である。
【図２】図２は遊戯台（パチンコ台の例）側面から見たイメージ図である。
【図３】図３は吹き出し口を正面（図左側）と側面（図右側）から見たイメージ図である。
(57)【要約】      （修正有）【課題】弓道競技に際して、運動に伴って起こる着衣の乱れを防止する弓道胴衣を提供する。【解決手段】伝統的な和服の様式である弓道胴衣の胸襟部分に面ファスナーＡ，Ｂを設け、右前で結着することで合わせ目の着付けを補強する。これにより、競技の性格上著しい集中が要求される競技者が、運動に伴って必然的に起こる着衣の乱れに煩わされることを防止する。【選択図】図１
0003190631.tif 000002
【実用新案登録請求の範囲】
【請求項１】
弓道競技における胴衣の胸襟部分に面ファスナーを施し、運動に伴っておこる着衣の乱れを防止する意図を持つ改良胴衣。
【考案の詳細な説明】
【技術分野】
【０００１】    本考案は、胸襟部分に面ファスナーを設けた弓道胴衣に関する。
【背景技術】
【０００２】    従来の弓道競技では、胴衣は腰帯のみに保持される伝統的な様式に統一されている。面ファスナーは一般的に「マジックテープ」の商標で公知される技術であり、スイスのＧｅｏｒｇｅ  ｄｅ  Ｍｅｓｔｒａｌが考案したものである。相互にフック面とループ面を貼り合わせて結着する構造で、その性質上、剥がすのも容易な特徴を持つ。
【考案の概要】
【考案が解決しようとする課題】
【０００３】    従来の弓道胴衣は、腰帯のみに保持される様式に統一されているため、運動に伴って着衣の乱れが進行するという問題を抱えている。競技の性格上、競技者には著しい集中力が要求されるため、度々起こる着衣の乱れを都度正すことは極めて煩雑であり、能率の低下を招く要因となっている。
【課題を解決するための手段】
【０００４】    本考案は、弓道胴衣の胸襟部分の接着面に面ファスナーを設け、従来の運動によってはだけがちな箇所を固定することで、問題点を解決している。
【考案の効果】
【０００５】    面ファスナーによる結着は、着衣時点の一挙動で容易に可能であり、人為や不意の急激な圧力のない限り、従来品に起こる着衣の乱れを防止できる。これにより、従来品では達成できなかったより以上の集中力と能率を競技者に提供することが可能になる。加えて、面ファスナーは胸襟部分の内側に接着するため、競技中に第三者から注視を受けるといった事態も想像されない。
【図１】
0003190631.tif 000003
【手続補正書】
【提出日】平成26年3月11日(2014.3.11)
【手続補正２】
【補正対象書類名】明細書
【補正対象項目名】全文
【補正方法】変更
【補正の内容】
【考案の詳細な説明】
【技術分野】
【０００１】    本考案は、胸襟部分に面ファスナーを設けた弓道胴衣に関する。
【背景技術】
【０００２】    従来の弓道競技では、胴衣は腰帯のみに保持される伝統的な様式に統一されている。面ファスナーは一般的に「マジックテープ」の商標で公知される技術であり、スイスのＧｅｏｒｇｅ  ｄｅ  Ｍｅｓｔｒａｌが考案したものである。相互にフック面とループ面を貼り合わせて結着する構造で、その性質上、剥がすのも容易な特徴を持つ。
【考案の概要】
【考案が解決しようとする課題】
【０００３】    従来の弓道胴衣は、腰帯のみに保持される様式に統一されているため、運動に伴って着衣の乱れが進行するという問題を抱えている。競技の性格上、競技者には著しい集中力が要求されるため、度々起こる着衣の乱れを都度正すことは極めて煩雑であり、能率の低下を招く要因となっている。
【課題を解決するための手段】
【０００４】    本考案は、弓道胴衣の胸襟部分の接着面に面ファスナーを設け、従来の運動によってはだけがちな箇所を固定することで、問題点を解決している。
【考案の効果】
【０００５】    面ファスナーによる結着は、着衣時点の一挙動で用意に可能であり、人為や不意の急激な圧力のない限り、従来品に起こる着衣の乱れを防止できる。これにより、従来品では達成できなかったより以上の集中力と能率を競技者に提供することが可能になる。加えて、面ファスナーは胸襟部分の内側に接着するため、競技中に第三者から注視を受けるといった事態も想像されない。
【図面の簡単な説明】
【０００６】
【図１】    図の左側は着衣前の時点の胴衣を表している。胴衣の肌側を下部、表面側を上部として、下部Ａと上部Ｂを図の右側のように着衣後の状態に合わせることで、ＡＢそれぞれに設けられた面ファスナーが自然と結着する構造となっていることを解説している。
(57)【要約】      （修正有）【課題】魚の腹骨部分を簡単に取除くことができる魚のあら骨取り治具を提供する。【解決手段】Ｖ字形の面の端部に刃１を付け、その像部に握り手部分２を付けた、魚のあら骨治具であって、魚の腹骨部分に添わせてあら骨取り治具を引くことにより魚の腹骨を容易に取り除くことができる。【選択図】図１
0003190635.tif 000002
【実用新案登録請求の範囲】
【請求項１】
Ｖ字形の面の端部に刃を付け、その上部ににぎり手部分を付けた、魚のあら骨取り治具。
【考案の詳細な説明】
【技術分野】
【０００１】本考案は、魚の腹の部分の身に付いた骨を取り除く治具に関するものである。
【背景技術】
【０００２】魚の腹の部分の身に付いた骨を取り除くには、ほう丁で取り除く外は無かった。
【考案の開示】
【考案が解決しようとする課題】
【０００３】ほう丁を用いずに考案の治具を使って、前途の欠点を解決しようとするものである。
【課題を解決するための手段】
【０００４】治具で腹骨を取り除き問題点を解決している。
【考案の効果】
【０００５】上途のように、あら骨取り治具を用いることで魚の腹骨を取ることに役立つ。
【考案を実施するための最良の形態】
【０００６】治具の刃を操作しやすいにぎり手部を付る。
【実施例】
【０００７】腹骨に、▲１▼の刃を添わせて、▲２▼のにぎり手を引きそぎ取る。【０００８】本考案は、上途の如き構成からなるものであり、魚の腹骨取りに便利である。
【図面の簡単な説明】
【０００９】
【図１】正面図
【図２】側面図
【図３】実施例図
【符号の説明】
【００１０】１．刃
２．にぎ手部分
３．あら骨
４．支え
【図１】
0003190635.tif 000003
【図２】
0003190635.tif 000004
【図３】
0003190635.tif 000005
(57)【要約】      （修正有）【課題】車内で読書などをする場合、ハンドルの上に固定し、手を使用せずに楽に読書ができる車内ハンドル用書見台を提供する。【解決手段】簾状に形成した本体１の上方適部に切欠窓２を設け、この切欠窓２をハンドル５の上部にはめ込んで本体１を固定する。本体１の下方には、書物を置くための棚板３を固着したもので、このようにすることにより、手を使わずに楽に書物を読むことができる。又、読書後巻いて折り畳めば小さくなるので、車内の格納ケースに納めることができる。【選択図】図２
0003190888.tif 000002
【実用新案登録請求の範囲】
【請求項１】
簾状に形成した本体の上方適部に切欠窓を設け、本体の下部に棚板を固着した車内ハンドル用書見台。
【考案の詳細な説明】
【技術分野】
【０００１】  本考案は、車内のハンドルを利用した書見台に関する。
【背景技術】
【０００２】  車内の運転席で読書などをする場合、書物をハンドルの上面に置き、書物の両側や下部を手で持って読書をしていた。このため、長時間読書をしていると手が疲れる欠点があった。
【考案の概要】
【考案が解決しようとする課題】
【０００３】  本考案は、書物を手で持つことなく、楽な姿勢で読書しようとするものである。
【課題を解決するための手段】
【０００４】  本考案は、簾状の書見台をハンドルの上部に固定して利用するもので、書見台を固定するための機具（金具）などを使用せずに固定しようとするものである。
【考案の効果】
【０００５】  本考案は、ハンドルの上部に書見台が固定できるので、書物を手で持たずに読書ができる。このため、長時間読書しても疲れにくい。又、使用後は、書見台を巻いて小さくすることができるので、ダッシュボードなどに設けた格納ケースに納めることができる。
【図面の簡単な説明】
【０００６】
【図１】  本考案の斜視図である。
【図２】  本考案の使用状態を示す斜視図である。
【考案を実施するための最良の形態】
【０００７】  本考案は、簾状のもので本体を形成し、本体の上方適部に切欠窓を、下方に棚板を設けたものである。
【実施例】
【０００８】  以下、添付図面に従って実施例を説明する。図１は、本考案の斜視図であるが、プラスチック、竹などの細棒を編んで簾状の本体１を作成する。本体１の上部より若干下がった適部に、長方形状の切欠窓２を設ける。そして、本体１の下部には、プラスチックなどを利用したＬ字状の棚板３を固着する。尚、４は簾の編糸である。【０００９】  図２は、本体１を車内のハンドル５に固定した斜視図である。本体１の左右の巾は、ハンドルの巾、又は、若干短めが適当と思われる。【００１０】  本体１をハンドル５に固定するには、上部に設けた切欠窓３を、ハンドル５の上部にはめ込み、本体１の上端部を向こう側に垂らす。本体１の下部に設けた棚板３は、ハンドル５の下方に当たる位の位置が適当である。【００１１】  設置した本体１に書物などを置いて読書をすれば、手で持つことなく楽な姿勢で長時間読書することができる。本体１をハンドル５に固定するための機具などは用いてないので小さく折り畳むことができる。又、Ｌ字状の棚板３を蝶番構造にして折り畳めるようにすれば、更に本体１を小さく巻いて折り畳むことができる。
【符号の説明】
【００１２】  １  本体
２  切欠窓
３  棚板
４  編糸
５  ハンドル
【図１】
0003190888.tif 000003
【図２】
0003190888.tif 000004
【手続補正書】
【提出日】平成26年3月5日(2014.3.5)
【手続補正１】
【補正対象書類名】明細書
【補正対象項目名】００１０
【補正方法】変更
【補正の内容】
【００１０】  本体１をハンドル５に固定するには、上部に設けた切欠窓２を、ハンドル５の上部にはめ込み、本体１の上端部を向こう側に垂らす。本体１の下部に設けた棚板３は、ハンドル５の下方に当たる位の位置が適当である。
(57)【要約】      （修正有）【課題】焼き上げたシフォン・ケーキの冷却時に、支え用具として使用する構成材を提供する。【解決手段】所定に加工された２枚の板を交叉状に組み、支えとなる下肢部はケーキ及び型を支えるに十分な広さと強度を持つ様に加工し、一方、上部は板の中央部に順次細めて、ケーキ型の内壁で出来る筒が入る程度に加工し、バランス良くすることで、簡単な構造で、コンパクトに、可愛く仕上げ、見るからに、廉価で、容易に組み付け、解体が出来、仕舞い性の良さが窺える。【選択図】図４
0003190885.tif 000002
【実用新案登録請求の範囲】
【請求項１】
一方を狭く、他方を広くした板の中央部分に、一枚は狭い側より、他の一枚は広い側より、板厚強の幅で、長さは双方の合計長さが板の長さ以上になるスリットが、刻まれた形で作られてなり、双方を交叉状に噛み合わせ、上部で小さく、下部で大きく交差を得る形に組み、立設が出来る構成材。
【考案の詳細な説明】
【考案の詳細な説明】
【技術分野】
【０００１】焼き上がったシフォン・ケーキを、冷ます時に使用する支え用具。
【背景技術】
【０００２】シフォン・ケーキは所定の配合生地を、図１に示す型の外側の壁１と内側の壁２、及び底面４で形成される狭間に入れ、焙焼機（オーブン）中で高温に晒すと、膨らみ、嵩だかになり、ふっくらと絹漉し状の肌理細かい風体を呈する。然し、何ら手立てを講じないで、冷却作業に入ると、ケーキが収縮を起こし、嵩が萎み、風味を損なう。【０００３】冷却時の収縮を抑える方策として、焼き上がったシフォン・ケーキを型ごと逆さまにして冷却すれば、萎みが少なくなる事が広く知られている。【０００４】冷却中のシフォン・ケーキを型ごと逆さまに備える仕方には、二つの方法が良く知られ、一つは、立てた葡萄酒瓶などの注ぎ口に、焼き上がったシフォン・ケーキを型ごと逆さまにして、内側の壁２で出来る筒３に、瓶の注ぎ口を通し、備える。他の一つの方法は、シフォン・ケーキ用の型は内側の壁２で出来る筒３の高さが外側の壁１の高さより若干高いので、皿の上に型ごと逆さまにして、備える方法がある。【０００５】然し、大形のケーキになると、その型の径は３０ｃｍ近くになるに対し、支える瓶の底面の径は１０ｃｍ程度しかなく、又、ケーキの内側の壁２で出来る筒３の直径は３ｃｍ程度と更に細い。又、ケーキの重量も１ｋｇ近くになり、常に転倒の危惧があった。【０００６】ケーキを冷やす際の転倒対策として、一つは、釣り具を作り、シフォン・ケーキ用型の内側の壁で出来る筒を通し、他方にフックを設け、シフォン・ケーキを逆さ吊りにして冷却を行う方法の発明（特許文献１）がある。可愛いが仕掛けが大業で、簡単性や安定性、廉価性等で市場性に難がみえる。【０００７】他方で、安定性やデザイン性に優れた本格的スタンドを提案された方法（特許文献２）は不使用時にはキッチン・ペーパー用のスタンドを推奨されているが、廉価性や使用後の始末性が悪い。
【先行技術文献】
【０００８】
【特許文献】
【０００９】
【特許文献１】特開２０１３−０５９５９８
【特許文献２】特開２０１０−１７８９５１
【考案の概要】
【考案が解決しようとする課題】
【０００１０】焼き上がったシフォン・ケーキの冷却時に起す、萎み現象に対する処置での転倒事故対策にあって、上記した特許文献１及び特許文献２で示された方法では転倒事故対策には効果があっても、ケーキ製作工程の付加作業で使用される補助冶具であり、求められる廉価性、簡単性、安全性、環境性への配慮が薄く、又使う道具としての使い勝手性、始末性、等で十分でない。【００１１】本考案はこの点に対して十分に考慮したものであって、見た目も良く、お洒落で、扱い易く、始末性も良い、又単純で、製作も簡単であり、低価格性も優れている製品を提供出来る。
【課題を解決する手段】
【００１２】一方の幅を狭く、他方の幅を広くした、平板の中央部分に、１枚は図２に示す様に、平板の幅の狭い部分よりスリットを入れる部品Ａ、他の１枚は図３に示す様に、平板の幅の広い部分よりスリットを入れる部品Ｂの２枚よりなる構成で、スリットは板厚強の幅を持ち、且つ、その長さは双方の合計が板の長さ以上に形成してなる構成材を、交叉状に噛み合わせ、上部で小さく、下部で大きく交差する形に組み、立設出来る構成材（図４）を提供し、焼き上げたシフォン・ケーキを型ごと逆さまにして、内壁２で出来る筒３の先端を冷却具の上部に挿入し（図５）、固定し、冷却時間に入ることで、シフォン・ケーキの転倒を防ぎ、冶具に求められる課題を解消した。
【考案を実施するための形態】
【００１３】本考案の立脚した構造物は、その上部に、直径が３０ｃｍ、重さが９００ｇ程度の物体を１時間程度に亘り支え、保持する事が求められる。
【００１４】構造物を構成する材質は、特に限定する物ではないが、オーブンから取り出した型の高熱に耐え、その上部に嵩のある重量物を支え、保持する事が求められており、その負荷に耐える強度が求められる。金属板、樹脂板、或いは木材、ガラス、陶磁器、紙製品、等、多品種が可能である。
【００１５】立設した構造物の形状は、基本的には数ｍｍ程度の厚みを有する平板で、典型的な形を図２と図３に示す。嵌め合わせが可能であれば良く、精度は問わない。
【実施法１】
【００１６】素材により硬度が異なるので、作るケーキの大きさや重量に耐えられ適当な厚みを有する、金属板や或いは上記材料群で、用途に合致した設計に従い、工具類を使って適宜切削することで製作ができる。使用する材料によっては、レーザ加工機や切断機、更には、プレス加工機等を使用して切断、打ち抜き、折曲、穴あけ等の加工を施して製作出来る。
【実施法２】
【００１７】大規模に製作するのであれば、射出成型用の樹脂材料として、例えばＰＰ（ポリプロピレン）などを用い、射出成型装置及び金型を用いて、生産が可能である。
【考案の効果】
【００１８】素材や機器、器具が居並ぶケーキ作り現場にあって、焼き上がったケーキの冷まし、仕上げ時に、登場するに相応し、可憐さと優雅さを持ち、製作の楽しさを映す。又、その姿・形は、簡単で容易性を見せ、組み立てた構築物は、頑強で、安全性、環境性を醸す。その仕掛けは、廉価性と始末性を直感する手触りの製品であり、シフォン・ケーキ仕上がりに相応しい雰囲気を醸し出す。
【図面の簡単な説明】
【００１９】
【図１】シフォン・ケーキ用の型の斜視図
【図２】シフォン・ケーキ冷却具部品Ａの斜視図
【図３】シフォン・ケーキ冷却具部品Ｂの斜視図
【図４】スリットを介して冷却具部品Ａと冷却具部品Ｂを組上げた冷却具の斜視図
【図５】本考案の冷却具の上部に焼き上がったシフォン・ケーキを逆さまに差し込まれた使用時を示す斜視図
【符号の説明】
【００２０】１  シフォン・ケーキの型の外側の壁
２  シフォン・ケーキの型の内側の壁
３  シフォン・ケーキの型の内側の壁で出来た筒
４  シフォン・ケーキの型の底部
【図１】
0003190885.tif 000003
【図２】
0003190885.tif 000004
【図３】
0003190885.tif 000005
【図４】
0003190885.tif 000006
【図５】
0003190885.tif 000007